(57)【特許請求の範囲】
【請求項１】
通常の使用以外の方法で開蓋した際、収納してある情報記録媒体に損傷を与えてその使用を不可能とする情報記録媒体収納ケースであって、
情報記録媒体収納部を備えるケース本体と、
このケース本体を開閉する開閉蓋と、
前記情報記録媒体収納部に隣接して設けられる損傷部材と、
前記開閉蓋の開蓋動作に連動して前記損傷部材を作動させる損傷機構とを備え、
前記損傷部材は、前記情報記録媒体に化学的な損傷を与える薬剤と、前記薬剤を収納しかつ口を有するタンクと、前記口に嵌合するキャップを有しており、
前記情報記録媒体が、前記情報記録媒体収納部に収納された際には、前記口と前記情報記録媒体の信号面とが対向するように配置されており、
前記キャップは、前記損傷機構に接続されていることを特徴とする情報記録媒体収納ケース。
【請求項２】
請求項１記載の情報記録媒体収納ケースであって、
前記損傷機構の動きを解除させる解除機構を備え、
前記解除機構を作動させずに前記開閉蓋を開蓋する場合は、前記損傷部材を作動させて前記情報記録媒体に損傷を与え、前記解除機構を作動させてから前記開閉蓋を開蓋する場合には、前記損傷部材を不作動として前記情報記録媒体に損傷を与えずに取り出すことを特徴とする情報記録媒体収納ケース。
【請求項３】
前記薬剤は、強酸、強アルカリ、有機溶剤のいずれかの薬剤であることを特徴とする請求項１又は２記載の情報記録媒体収納ケース。
【請求項４】
前記情報記録媒体は、情報記録媒体原盤であることを特徴とする請求項１乃至３のいずれかに記載の情報記録媒体収納ケース。
【請求項５】
前記情報記録媒体はＤＶＤであり、前記薬剤は有機溶剤であることを特徴とする請求項３記載の情報記録媒体収納ケース。
【請求項６】
前記開閉蓋は、シャッタであることを特徴とする請求項１乃至５のいずれかに記載の情報記録媒体収納ケース。
【請求項７】
少なくとも前記損傷部材と前記損傷機構とを外部より隠蔽したことを特徴とする請求項１乃至６のいずれかに記載の情報記録媒体収納ケース。
【請求項８】
前記情報記録媒体収納部に対応した前記開閉蓋部分を透明とし、それ以外の部分を不透明としたことを特徴とする請求項７記載の情報記録媒体収納ケース。
【請求項９】
前記情報記録媒体収納部に対応して、前記開閉蓋を直径１３０ミリ以下の範囲だけ透明とし、それ以外の部分を不透明としたことを特徴とする請求項８記載の情報記録媒体収納ケース。
【発明の詳細な説明】
【０００１】
【発明の属する技術分野】
本発明は、光ディスク、磁気ディスク、光カード、磁気カード、ＩＣカード等の情報記録媒体の収納ケース、及び、これらの情報記録媒体原盤の運搬ケース等に使用可能な情報記録媒体収納ケースに関するものである。
【０００２】
【従来の技術】
従来より、光学的、磁気的、電気的に読み取り可能な情報が記録され、更に記録された情報を読み出す情報記録媒体があり、近年は、ＣＤ−ＲＯＭ、ＣＤ−Ｒ、ＤＶＤ−ＲＯＭ、ＭＯ、ＺＩＰをはじめとする高密度記録ディスクの普及がめざましいものとなっている。また光カード、磁気カード、ＩＣカードの高密度化も進んでいる。
【０００３】
【発明が解決しようとする課題】
さて、前記した高密度情報記録媒体の普及と最近のパーソナルコンピュータの高性能化に伴い、重要情報もこれら高密度情報記録媒体に記録する機会が多くなっている。しかし、セキュリティの問題は解決されていないと言ってもよい。
つまり、これらの高密度情報記録媒体は１枚に大容量の情報が記録できるという大きな利点が有る反面、小型のため、運搬過程で容易に盗まれる心配がある。特に、銀行口座の暗証番号一覧、国家機密、軍事情報等の重要情報が高密度情報記録媒体に記録されていた場合、この媒体の盗難に伴う損害は非常に大きなものとなる。軍事機密の特殊なものの場合には人類の存続さえ危ぶまれる。
【０００４】
そこで、こうした重要情報が記録されている高密度情報記録媒体が盗難にあっても、正規の使用者以外の他者が使用することができないような記録媒体が必要とされていた。その解決手段として、従来いわゆる暗号を利用したコピープロテクトは数々提案されているが、それも信号を時間をかけて丁寧に解析してゆけば解読できることが多く、根本的な解決には至っていなかった。
【０００５】
そこで、本発明は、こうした課題に着目してこれを解決するためになされたものであり、情報記録媒体を収納してあるケースの蓋を通常の使用以外の方法で開る（正規の使用者以外の他者が開ける）と、損傷機構が働いて情報記録媒体を確実に損傷してその使用を不可能することにより、情報記録媒体に記録されている情報のセキュリティを維持する情報記録媒体収納ケースを提案するものである。勿論、正規の使用者が情報記録媒体を取り出す場合には、解除機構を用いて事前に損傷機構置を解除しておくことにより情報記録媒体を損傷することなく取り出せることは言うまでもない。
【０００６】
【課題を解決するための手段】
上記した課題を解決するために、本発明は下記（１）〜（９）の構成になる情報記録媒体収納ケースを提供する。
【０００７】
（１）通常の使用以外の方法で開蓋した際、収納してある情報記録媒体に損傷を与えてその使用を不可能とする情報記録媒体収納ケースであって、
情報記録媒体収納部を備えるケース本体と、
このケース本体を開閉する開閉蓋と、
前記情報記録媒体収納部に隣接して設けられる損傷部材と、
前記開閉蓋の開蓋動作に連動して前記損傷部材を作動させる損傷機構とを備え、
前記損傷部材は、前記情報記録媒体に化学的な損傷を与える薬剤と、前記薬剤を収納しかつ口を有するタンクと、前記口に嵌合するキャップを有しており、
前記情報記録媒体が、前記情報記録媒体収納部に収納された際には、前記口と前記情報記録媒体の信号面とが対向するように配置されており、
前記キャップは、前記損傷機構に接続されていることを特徴とする情報記録媒体収納ケース。
（２）請求項１記載の情報記録媒体収納ケースであって、
前記損傷機構の動きを解除させる解除機構を備え、
前記解除機構を作動させずに前記開閉蓋を開蓋する場合は、前記損傷部材を作動させて前記情報記録媒体に損傷を与え、前記解除機構を作動させてから前記開閉蓋を開蓋する場合には、前記損傷部材を不作動として前記情報記録媒体に損傷を与えずに取り出すことを特徴とする情報記録媒体収納ケース。
（３）前記薬剤は、強酸、強アルカリ、有機溶剤のいずれかの薬剤であることを特徴とする請求項１又は２記載の情報記録媒体収納ケース。
（４）前記情報記録媒体は、情報記録媒体原盤であることを特徴とする請求項１乃至３のいずれかに記載の情報記録媒体収納ケース。
（５）前記情報記録媒体はＤＶＤであり、前記薬剤は有機溶剤であることを特徴とする請求項３記載の情報記録媒体収納ケース。
（６）前記開閉蓋は、シャッタであることを特徴とする請求項１乃至５のいずれかに記載の情報記録媒体収納ケース。
（７）少なくとも前記損傷部材と前記損傷機構とを外部より隠蔽したことを特徴とする請求項１乃至６のいずれかに記載の情報記録媒体収納ケース。
（８）前記情報記録媒体収納部に対応した前記開閉蓋部分を透明とし、それ以外の部分を不透明としたことを特徴とする請求項７記載の情報記録媒体収納ケース。
（９）前記情報記録媒体収納部に対応して、前記開閉蓋を直径１３０ミリ以下の範囲だけ透明とし、それ以外の部分を不透明としたことを特徴とする請求項８記載の情報記録媒体収納ケース。
【００１８】
【発明の実施の態様】
以下、本発明の情報記録媒体収納ケースについて、図１〜図７を用いて説明する。図１，図２はそれぞれ本発明の情報記録媒体収納ケースの基本構造を説明するための図、図３〜図７はそれぞれ本発明の情報記録媒体収納ケースの第１実施例〜第５実施例を説明するための図である。
【００１９】
以下、説明の都合上、情報記録媒体の一例として、ＣＤ−ＲＯＭ、ＣＤ−Ｒ、ＤＶＤ−ＲＯＭ、ＭＯ型ディスク等の光ディスクを用いるが、これ以外に、磁気ディスク、光カード、磁気カード、ＩＣカード等、及び、これらの元となる、ＣＤ−ＲＯＭ原盤、ＣＤ−Ｒ原盤、ＤＶＤ−ＲＯＭ原盤、ＭＯ型ディスク原盤等の光ディスク原盤にも用いることができるのは言うまでもない。
【００２０】
［情報記録媒体収納ケースの基本構造］
本発明の情報記録媒体収納ケースＡの基本構造は、図１に示すように、ケース本体Ａ１と開閉蓋Ａ２とから構成されており、また、ケース本体Ａ１はディスク収納部Ａ１ａと本体部Ａ１ｂとから構成される。後述する開閉機構１は開閉蓋Ａ２がケース本体Ａ１の一端部に軸支した状態（ヒンジ状態）を指す。これに加えて、ディスク収納部Ａ１ａ内に設けられた損傷部材２、この損傷部材２を作動する損傷機構３が備えられている。４はディスク収納部Ａ１ａに収納された状態のディスクである。
【００２１】
この情報記録媒体収納ケースＡは、ディスク収納部Ａ１ａに収納されたディスク４をそこから取り出すことなく、ディスク収納部Ａ１ａにディスク４を収納したままで図示せぬプレーヤに装填が可能であるという用途に用いられるものである。
【００２２】
前記した情報記録媒体収納収納ケースＡは、例えばＣＤケースのような構造をしている。そして、ケース本体Ａ１の一端部に軸支された開閉蓋Ａ２はケース本体Ａ１上において開閉自在とされる。閉蓋状態である開閉蓋Ａ２を開蓋するには開閉蓋Ａ２の他端部を外方へ引っ張れば良く、一方、開蓋状態である開閉蓋Ａ２を閉蓋するには開閉蓋Ａ２の他端部をケース本体Ａ１側（内方）へ押し込めば良い。
【００２３】
前記した損傷部材２は、ディスク収納部Ａ１ａに収納してあるディスク４の信号面を確実かつ効果的に傷つけ、ここからの情報の再生が不可能なようにすることの出来るようにディスク収納部Ａ１ａ内に設けられている。この損傷部材２は、刃物（例えばカッターナイフ、薄物のダイヤモンドコーティングナイフ）、ヤスリ、サンドペーパーなど物理的な手段である。
【００２４】
また、損傷部材２は化学的な手段でもよく、その場合には強酸、強アルカリ、有機溶剤などの薬剤を納めたカプセルである。これらはディスク４の硬度、溶解性にあわせて選択され、例えばＣＤ−ＲＯＭ、ハードディスクの場合には薄物のダイヤモンドコーティングナイフである。ＤＶＤの場合には貼り合わせ構造で、記録面が表面から０．６ｍｍ中に埋没しているため刃物は不適切で、有機溶剤  （例えば塩化メチレン）が効果的である。
【００２５】
勿論、ディスク４をディスク収納部Ａ１ａに収納しただけではディスク５の表面に損傷部材２が当接あるいは近接するだけであり、この当接押圧力あるいは近接状態ではディスク４の信号面にダメージを与えることはない。
【００２６】
前記した損傷機構３は、上記の損傷部材２を開閉機構１の作動に連動して損傷部材２を作動する機構である。この損傷機構３は開閉蓋Ａ２と損傷部材２とを繋ぐワイヤのようなもので構成され、また、このワイヤの途中にスプリング等の緩衝部材を挟んでも良い。
【００２７】
一方、上述した情報記録媒体収納ケースＡは、開閉蓋Ａ２の開蓋動作と連動して収納したディスク４の信号面に確実かつ効果的に損傷を与えることができ、これによって、正規の使用者以外の他人がこのディスク４を盗用してもそこに記録してある情報の利用を確実に防止できるものである。
【００２８】
次に説明する本発明の情報記録媒体収納ケースＢの基本構造は、図２に示すように、前述した図１に図示の収納ケースＡに、上記した損傷部材２の作動を解除する解除機構５を付加したものである。前述した構成と同一部分には同一番号を付しその説明を省略する。
【００２９】
前記した解除機構５は、正規の使用者が収納ケースＢに収納したディスク４を取り出す際に、開閉蓋Ａ２の開蓋動作と連動して損傷機構３が作動し損傷部材２により収納してあるディスク４の信号面に損傷を与えることを解除するための機構である。詳しくは解除機構５は、開閉機構１と損傷機構３の連動関係を解除するものであり、解除機構５が作動している間は損傷機構３が動作しない状態で開閉蓋Ａ２の開閉が自由に行える。解除機構５はこの連動関係を切り放すものであればよく、プッシュボタンや鍵、番号錠などと繋いでもよい。
【００３０】
ところで、前記した収納ケースＡ，Ｂに収納されるディスク４が例えば高密度光ディスクの場合、製造の困難さの理由から、原盤を作成するデザインセンタとプレス・完成させるレプリケータとが別の場所で行われることもある。この場合には原盤輸送中の盗難が心配であり、ディスク４としての原盤の物性にあわせて損傷部材２を選ぶことになる。
【００３１】
光ディスク原盤は、ガラスマスタ、マスタ、マザー、スタンパ等であり、損傷部材２は原盤がガラスマスタの場合、このガラスを効果的に溶かすフッ酸、またはガラスマスタに塗布されてあるレジストに損傷を与える濃厚な水酸化ナトリウム水溶液や水酸化カリウム水溶液あるいはアセトンなどの有機溶剤である。また原盤がマスタ、マザー、スタンパの場合には、損傷部材２は硝酸や王水や塩化鉄水溶液などである。
【００３２】
［情報記録媒体収納ケースＡの実施例］
さて、上述した図１に示した収納ケースＡを具体化したものは、図３に示す情報記録媒体収納ケース１０Ａであり、収納ケース１０Ａに収納される光ディスクとしては例えばＣＤ−ＲＯＭである。前述した構成と同一部分には同一番号を付しその説明を省略する。
【００３３】
この収納ケース１０Ａは、図３に示すように、ケース本体Ａ１と開閉蓋Ａ２とから構成されており、また、ケース本体Ａ１はディスク収納部Ａ１ａと本体部Ａ１ｂとから構成される。開閉蓋Ａ２はケース本体Ａ１の左端部に軸支している。
【００３４】
前記した収納ケース１０Ａは、例えばＣＤケースのような構造をしている。そして、ケース本体Ａ１の一端部に軸支された開閉蓋Ａ２はケース本体Ａ１上に開閉自在に取り付け固定されている。閉蓋状態である開閉蓋Ａ２を開蓋するには開閉蓋Ａ２の他端を外方へ引っ張れば良く、一方、開蓋状態である開閉蓋Ａ２を閉蓋するには開閉蓋Ａ２の他端をケース本体Ａ１側（内方）へ押し込めば良い。
【００３５】
ディスク４が収納されるディスク収納部Ａ１ａの底面にはダイヤモンドコーティングを施した小さなカッターナイフ２ａを設置した。このカッターナイフ２ａはその底面に設けられた図示せぬレール上を左右に自在に移動可能である。ディスク収納部Ａ１ａに収納されるディスク４の収納方向は、ディスク４の信号面をその底面に向けて収納する方向とする。このようにして、ディスク収納部Ａ１ａに収納されたディスク４の信号面にはカッターナイフ２ａが軽く当接するだけであり、この当接押圧力ではディスク４の信号面にダメージを与えることはない。
【００３６】
また、ディスク収納部Ａ１ａに近接する本体部Ａ１ｂ上に、プーリ３ａが設置されており、このプーリ３ａにはワイヤ３ｂが張架されている。ワイヤ３ｂの一端は前記したカッターナイフ２ａに結線され、その他端は開閉蓋Ａ２の裏面にある固定位置Ａ２１に固定されている。この結果、開閉蓋Ａ２が開蓋されるに従がい、矢印ＡＡ方向にワイヤ３ｂは引っ張られ、カッターナイフ２ａは停止位置２ａａから矢印ＡＡ方向へ直線移動しつつディスク４を押し上げる。カッターナイフ２ａのこの直線移動によって、ディスク収納部Ａ１ａに収納されたディスク４の信号面は確実かつ効果的に損傷をうける（ディスク４の再生が不可能なようにディスク４の信号面は深く傷付く）。
【００３７】
前記した収納ケース１０Ａの寸法は、例えば１２．５ｃｍ（縦）×１４．０ｃｍ（横）、ディスク４の直径が１２．０ｃｍであると、開閉蓋Ａ２の裏面にある固定位置Ａ２１からプーリ３ａ中央までのワイヤ３ｂの長さはおよそ５ｃｍであり、カッターナイフ２ａがディスク収納部Ａ１ａの底面にあるレールの左端（ディスク収納部Ａ１ａに収納されてあるディスク４の内周部分に接触状態）にあるときに、開閉蓋Ａ２を閉めてワイヤ３ｂがピンと張れる長さが選ばれている。
【００３８】
次に、上述した構成の収納ケース１０Ａの開閉蓋Ａ２が閉蓋する状態について、図３（Ｂ），（Ｃ）を用いて説明する。
【００３９】
収納ケース１０Ａを使用して実際にディスク４を取り出す動作を行ってみると、閉蓋状態である開閉蓋Ａ２（図３（Ｂ）に示す）を開け始めると（図３（Ｃ）に示す）、これに応じてワイヤ３ｂが引っ張られながら開閉蓋Ａ２が上に持ち上がる。このときワイヤ３ｂの動きに連動してカッターナイフ２ａがディスク収納部Ａ１ａの底面にあるレールの上を滑って左端から右側へ直線状に移動する。そしてこの時カッターナイフ２ａがディスク収納部Ａ１ａに収納してあるディスク４をその内周から外周に向かってその信号面を傷つけるのである。
【００４０】
開閉蓋Ａ２が約２５度（図３（Ｃ）中、角度α）開いたときには、開閉蓋Ａ２の裏面にある固定位置Ａ２１からプーリ３ａ中央までのワイヤ３ｂの長さは４ｃｍ伸びて、ディスク４の内周から外周まで（半径２ｃｍ（信号面最内周）〜６ｃｍ（信号面最外周）まで）傷が入ることになる。このディスク４を取り出してディスクプレーヤにかけてもこの傷の部分でエラーが発生して、満足な再生ができない。
【００４１】
上述した図３に示した情報記録媒体収納ケース１０Ａは、損傷部材２として物理的な手段としてダイヤモンドコーティングを施した小さなカッターナイフ２ａを用いたものについて説明したが、次に説明する図４に示す情報記録媒体収納ケース１０Ｂは、損傷部材２として化学的な手段を用いたものについて説明する。また、収納ケース１０Ｂに収納されるディスク４としては例えばＤＶＤ−ＲＯＭ原盤（スタンパ）である。前述した構成と同一部分には同一番号を付しその説明を省略する。
【００４２】
この収納ケース１０Ｂは、図４に示すように、ケース本体Ａ１と開閉蓋Ａ２とから構成されており、また、ケース本体Ａ１はディスク収納部Ａ１ａと本体部Ａ１ｂとから構成される。開閉蓋Ａ２はケース本体Ａ１の左端部に軸支している。
【００４３】
前記した収納ケース１０Ｂは、例えばＣＤケースのような構造をしている。そして、ケース本体Ａ１の一端部に軸支された開閉蓋Ａ２はケース本体Ａ１上に開閉自在に取り付け固定されている。閉蓋状態である開閉蓋Ａ２を開蓋するには開閉蓋Ａ２の他端を外方へ引っ張れば良く、一方、開蓋状態である開閉蓋Ａ２を閉蓋するには開閉蓋Ａ２の他端をケース本体Ａ１側（内方）へ押し込めば良い。
【００４４】
ディスク４が収納されるディスク収納部Ａ１ａの底面の下側に損傷部材２として薬液を充填した薬液タンク２ｂを設置した。薬液タンク２ｂ内には硝酸が充填されており、また薬液タンク２ｂの出口には薬液が漏洩しないようにゴムキャップ２ｃが嵌められている。ディスク収納部Ａ１ａに収納されたディスク４の信号面には、流出した薬液２ｄがディスク４の信号面に容易にかつ十分に付着するように、薬液タンク２ｂの出口が対向している。
【００４５】
また、ディスク収納部Ａ１ａに近接する本体部Ａ１ｂ上に、プーリ３ａが設置されている。また、このプーリ３ａにはワイヤ３ｂが張架されている。ワイヤ３ｂの一端は前記した薬液タンク２ｂの出口に嵌合するゴムキャップ２ｃが固定され、その他端は開閉蓋Ａ２の裏面にある固定位置Ａ２１に固定されている。この結果、開閉蓋Ａ２が開蓋されるに従がい、矢印ＡＡ方向にワイヤ３ｂは引っ張られ、薬液タンク２ｂの出口に嵌合するゴムキャップ２ｃも停止位置２ａｂから矢印ＡＡ方向へ直線移動する。ゴムキャップ２ｃはこの直線移動によって、薬液タンク２ｂの出口から外れる。この結果、薬液タンク２ｂの出口から流出する薬液２ｄがディスク４の信号面に容易にかつ十分に付着することにより、ディスク収納部Ａ１ａに収納されたディスク４の信号面は確実かつ効果的に損傷をうける  （ディスク４の再生が不可能なようにディスク４の信号面は溶解する）。
【００４６】
また、開閉蓋Ａ２の固定位置Ａ２１には、図４（Ｄ）に示すように、前記した解除機構５の凹み５ａが作ってあり、この凹み５ａの中にワイヤ３ｂが糸巻き５ｂに巻かれた状態で収納され、開閉蓋Ａ２の表面からは目立たないようになっている。ワイヤ３ｂの全長は８ｃｍで、この糸巻き５ｂにはそのうち４ｃｍ分が巻かれている。
【００４７】
次に、上述した構成の収納ケース１０Ｂの開閉蓋Ａ２を開蓋する状態について、図４（Ｂ），（Ｃ）を用いて説明する。
【００４８】
収納ケース１０Ｂを使用して実際にディスク４を取り出す動作を行ってみると、閉蓋状態である開閉蓋Ａ２（図４（Ｂ）に示す）を開け始めると（図４（Ｃ）に示す）、これに応じてワイヤ３ｂが引っ張られながら開閉蓋Ａ２が上に持ち上がる。このときワイヤ３ｂの動きに連動して薬液タンク２ｂの出口に嵌合するゴムキャップ２ｃ左端から右側へ直線状に移動する。
【００４９】
そして、開閉蓋Ａ２が約５度開いたときには、引っ張られていたゴムキャップ２ｃが薬液タンク２ｂの口から抜けて、硝酸が収納ケース１０Ｂ内に瞬時に充満する。この結果、薬液タンク２ｂの出口から流出する薬液がディスク４の信号面に容易にかつ十分に付着することにより、ディスク収納部Ａ１ａに収納されたディスク４の信号面は確実かつ効果的に損傷をうける。このディスク４がスタンパの場合、高密度微細な信号が入ったスタンパ表面は硝酸に腐食され、信号は多大なダメージを受けることになる。このスタンパからディスク成形を行ってＤＶＤ−ＲＯＭプレーヤにかけてもエラーが発生して、再生ができない。
【００５０】
一方、正規の利用者がこのディスク４を安全に取り出す場合には、以下のようにする。
【００５１】
即ち、開閉蓋Ａ２に設けられたの凹み５ａ内にある糸巻き５ｂを注意深くピンセットでつかみ、この糸巻き５ｂに巻かれているワイヤ３ｂをゆっくり解いてゆくのである。このとき無用の力がこのワイヤ３ｂに掛からぬようにし、ワイヤ３ｂを引っ張ることなく解くことが肝心である。そして、ある程度ワイヤ３ｂが開閉蓋Ａ２の上方に出てきたら、このワイヤ３ｂを切断する。
そしてワイヤ３ｂに力が掛からぬよう、開閉蓋Ａ２を開ければ、ディスク４が傷付くことなく安全に取り出せる。
【００５２】
以上、本発明について２つの実施例を示したが、これらは発明の基本骨格を示すための説明であり、本発明はこれに限定されるものではない。光カード、磁気ディスク、カードやＩＣカードでも良い。また各々の機構は高度に複雑なものであってよい。
【００５３】
例えば、上記実施例ではＣＤやＤＶＤに使用されるケースをもとにして説明したが、いわゆるＭＯディスクのようにシャッターの付いたカートリッジ式ディスクケースであっても良い。この場合には、前述した開閉機構１はシャッター対応する。この場合には、手でシャッターを開閉させてディスクの存在を確認する場合や、ドライブに装填する時に前述した損傷機構３が作動する。また、ＤＶＤ−ＲＡＭのようにシャッターの付いたカートリッジ式ディスクケースでありながらディスクが取り出せるものは、前述した開閉機構１が取り出し機構であっても良いし、シャッターでも良いし、さらに両方であっても良い。
【００５４】
また、このケース１０Ａ，１０Ｂを実際に使用する場合を考えると、少なくとも損傷部材２と損傷機構３が隠蔽されており、目で見えないことが望ましい。盗難にあった場合、このような仕掛けが認識されず、不用意にケース１０Ａ，１０Ｂが開けられて、中のディスク４が破損されるのが理想的である。セキュリティの高いディスク４であればあるほどその必要があると言っても良い。
【００５５】
図５は図４のケース１０Ｂにおいて、損傷部材２と損傷機構３だけを、ケース１０Ｂ外から視認出来ないように遮蔽するようにしたものの一例である。即ち、同図（Ａ），（Ｂ）に示すように、ケース１０Ｂの表（開閉蓋Ａ２の外側）から見ても、裏（ケース本体Ａ１の外側）から見ても、損傷部材２と損傷機構３とが位置している当該部分は、黒く塗られて遮蔽されているので、ケース内部を見ることができない。しかし、レイアウト的に自然な感じを出すために、ケース１０Ｂの全体が黒塗りで遮蔽されていてももちろん良い。仕掛けを見えなくする方法は上記のような黒塗りに限らず、遮光できるものであれば如何なる色でも良い。
【００５６】
図６は図４のケース１０Ｂにおいて、ケースの表全面を遮光とし、その裏全面を遮蔽するようにしたものの一例である。即ち、同図（Ａ），（Ｂ）に示すように、ケース１０Ｂの表全面はスモークやすりガラス的なデザインで遮光されており、一方、ケースの裏全面は黒塗りされている。
【００５７】
ところで、ディスク４が収納されていることを目で認識できる必要が、正規の使用者にとっても、またセキュリティ的な意味でも必要（中身を不用意に開けさせる意味で必要）である。従って収納するディスク４の大きさに対応した、ディスク収納部Ａ１に対応した開閉蓋Ａ２の一部分を透明とし，それ以外の部分を不透明にするのもよい。
【００５８】
図７は図４のケース１０Ｂにおいて、ディスク収納部Ａ１に対応した表面の部分を透明としてこれ以外を遮光とし、一方、その裏面の全面を遮光としたものの一例である。即ち、同図（Ａ），（Ｂ）に示すように、例えば、５．２５インチ光ディスクの場合には開閉蓋Ａ２を直径１３０ミリ以下の範囲だけ透明とし，それ以外の部分を不透明とすれば良い。また、５．２５インチ光ディスクの成形用スタンパーの場合には、直径１３５ミリ以下の範囲だけ開閉蓋Ａ２を透明とし，それ以外の部分を不透明とすれば良い。このようにすれば盗難者からディスクだけが透明に見え、損傷部材２と損傷機構３は不透明部分に当たるので気付かれることがない。その結果通常のディスクケースと同様の取り扱いを行って、ディスクを破損へと導くことができる。
【００５９】
【発明の効果】
本発明の情報記録媒体収納ケースによれば、情報記録媒体を保管あるいは運搬する途中等に、正規の使用者以外の他人がこの情報記録媒体をケースから取り出して使用しようとしても、ケースから取り出した時点で情報記録媒体は損傷を受けて使用不可能な状態となるから、従って、この収納ケースに盗難防止のセキュリティー性を持たせることができ、収納してある情報記録媒体に記録されている重要情報の機密漏洩を防ぐことができる。
また、本発明の情報記録媒体収納ケースを構成する損傷部材と損傷機構だけを外部より遮蔽することにより、こうした盗難防止部材をケースの外から視認することができないので、この結果、収納ケースにおける盗難防止のセキュリティー性を一段と高めることができ、収納してある情報記録媒体に記録されている重要情報の機密漏洩をさらに確実に防ぐことができる。
【図面の簡単な説明】
【図１】本発明の情報記録媒体収納ケースの基本構造を説明するための図である。
【図２】本発明の情報記録媒体収納ケースの基本構造を説明するための図である。
【図３】本発明の情報記録媒体収納ケースの第１実施例を説明するための図である。
【図４】本発明の情報記録媒体収納ケースの第２実施例を説明するための図である。
【図５】本発明の情報記録媒体収納ケースの第３実施例を説明するための図である。
【図６】本発明の情報記録媒体収納ケースの第４実施例を説明するための図である。
【図７】本発明の情報記録媒体収納ケースの第５実施例を説明するための図である。
【符号の説明】
２  損傷部材
３  損傷機構
４  ディスク（情報記録媒体）
５  解除機構
１０Ａ，１０Ｂ  情報記録媒体収納ケース
Ａ１  ケース本体
Ａ１ａ  情報記録媒体収納部
Ａ２  開閉蓋
【図１】
0003728852.tif 000002
【図２】
0003728852.tif 000003
【図３】
0003728852.tif 000004
【図４】
0003728852.tif 000005
【図５】
0003728852.tif 000006
【図６】
0003728852.tif 000007
【図７】
0003728852.tif 000008